(57)【要約】【課題】ロープを容易に巻き取ることを可能にするリールを提供する。【解決手段】リール１０の第一軸１２は、本体１１の第二端１３に装着され、かつ中央に管路１７を有する。つめ車２１は、第一軸１２とともに回転可能である。第一係止ユニット２６は、本体１１に装着され、つめ車２１をロックまたは解放する。ハンドル３１は、第二端３３によって第一軸１２に旋転できるように接続される。第二係止ユニット３６は、ハンドル３１に装着され、つめ車２１をロックまたは解放する。巻き取り装置４１は、ハンドル３１に装着される。ロープ６０は、一端が巻き取り装置４１に装着され、かつ巻き取り装置を囲み、他端が第一軸１２の管路１７を貫通する。これにより、本発明はロープを容易に巻き取り、操作の手応えを増進することが可能である。【選択図】  図１
2011207461.tif 000002
【特許請求の範囲】
【請求項１】
第一端および第二端を有する本体と、
前記本体の前記第二端に装着され、かつ中央に管路を有する第一軸と、
前記第一軸の両端に別々に装着され、前記第一軸とともに回転することが可能である二つのつめ車と、
前記本体に可動するように装着され、前記つめ車をロックまたは解放することが可能である第一係止ユニットと、
第一端および第二端を有し、前記第二端は前記第一軸に旋転できるように接続され、かつ突っ張り部を有するハンドルであって、当該ハンドルが前記本体に対し所定の角度まで旋転する際、前記突っ張り部が前記第一係止ユニットを後退させ、前記つめ車を解放するハンドルと、
前記ハンドルに可動するように装着され、前記つめ車をロックまたは解放することが可能であり、かつ制御部を有する第二係止ユニットであって、前記制御部は使用者の手での操作によって当該第二係止ユニットに前記つめ車を解放させることが可能である第二係止ユニットと、
前記ハンドルに装着され、第二軸、ワインダーおよびケースを有する巻き取り装置と、
一端が前記巻き取り装置に装着され、かつ前記巻き取り装置を囲み、他端が前記第一軸の前記管路を貫通するロープと、
を備えることを特徴とするリール。
【請求項２】
前記本体の前記第一端は、固定されたロープを有することを特徴とする請求項１に記載のリール。
【請求項３】
前記ハンドルは、二つの側部を有することを特徴とする請求項１に記載のリール。
【請求項４】
前記第二軸は、両端によって前記ハンドルの前記側部に固定されることで二つの前記側部の間に位置し、
前記ケースは、前記第二軸に旋転できるように接続され、
前記ワインダーは、前記ケース内に格納され、両端が前記第二軸および前記ケースに別々に装着され、
前記ロープは、一端が前記ケースに装着され、かつ前記ケースを囲むことを特徴とする請求項３に記載のリール。
【請求項５】
前記ハンドルの前記第一端は、握り部を有し、
第二係止ユニットは、前記制御部、係止片および二つの側片を有し、
前記制御部、二つの前記側片および前記係止片は、中空の枠体を構成し、
前記制御部は、前記握り部の近くに設けられ、
前記係止片は、前記握り部から遠く離れて設けられ、
二つの前記側片は、前記ハンドルの二つの前記側部の間に設けられ、
前記ロープは、二つの前記側片の間に設けられることを特徴とする請求項４に記載のリール。
【請求項６】
前記第二軸は、両端によって前記ハンドルの前記側部に回転できるように別々に接続されることで二つの前記側部の間に位置し、
前記ケースは、前記第二軸に対応するように前記ハンドルの一つの前記側部に固定されることで前記ハンドルの外側に位置し、
前記ワインダーは、前記ケース内に格納され、両端が前記第二軸および前記ケースに別々に装着され、
前記ロープは、一端が前記第二軸に装着され、かつ前記第二軸を囲むことを特徴とする請求項３に記載のリール。
【請求項７】
前記ハンドルの前記第一端は、握り部を有し、
前記第二係止ユニットは、前記制御部、係止片および二つの側片を有し、
前記制御部、二つの前記側片および前記係止片は、中空の枠体を構成し、
前記制御部は、前記握り部の近くに設けられ、
前記係止片は、前記握り部から遠く離れて設けられ、
二つの前記側片は、前記ハンドルの二つの前記側部の間に設けられ、
前記ロープは、二つの前記側片の間に設けられることを特徴とする請求項６に記載のリール。
【請求項８】
前記突っ張り部は、突輪であることを特徴とする請求項１に記載のリール。
【発明の詳細な説明】
【技術分野】
【０００１】
本発明は、ロープのリールに関し、詳しくはロープを容易に巻き取ることを可能にするリールに関するものである。
【背景技術】
【０００２】
リールの先行技術、例えば特許文献１は、巻き取りが簡単なリールの構造を開示している。弾性のある巻き取り装置によってロープを底座に装着し、弾性のある巻き取り装置と引張装置とを分離させることが該案の特徴である。
別の先行技術、即ち特許文献１は、ハンドルを介して第一係止片および第二係止片をつめ車から逸脱させ、つめ車を解放状態に維持することによってシャフトを容易に回転させ、巻き取りの便をはかる目的を達成するものである。
【先行技術文献】
【特許文献】
【０００３】
【特許文献１】ＰＣＴ特許公開ＷＯ２００８／０３９０７３号
【特許文献１】米国特許ＵＳ  ７，２８１，７０１号
【発明の概要】
【発明が解決しようとする課題】
【０００４】
これに対し、本発明者は、上述した構造とは異なり、かつ同様に巻き取りの便を達成することを可能にするリールを提供する。
本発明の主な目的は、ロープを容易に巻き取ることを可能にするリールを提供することである。
本発明のもう一つ目的は、先行技術による構造とは異なり、ハンドルにロープを装着することによって操作の手応えを増進することを可能にするリールを提供することである。
【課題を解決するための手段】
【０００５】
上述の目的を達成するために、本発明によるリールは、本体、第一軸、二つのつめ車、第一係止ユニット、ハンドル、第二係止ユニット、巻き取り装置およびロープを備える。本体は、第一端および第二端を有する。第一軸は、本体の第二端に装着され、かつ中央に管路を有する。二つのつめ車は、第一軸の両端に別々に装着され、第一軸とともに回転することが可能である。第一係止ユニットは、本体に可動するように装着され、つめ車をロックまたは解放することが可能である。ハンドルは、第一端および第二端を有し、第二端によって第一軸に旋転できるように接続される。ハンドルの第二端は、突っ張り部を有する。ハンドルが本体に対し所定の角度まで旋転する際、突っ張り部は、第一係止ユニットを後退させ、つめ車を解放する。第二係止ユニットは、ハンドルに可動するように装着され、つめ車をロックまたは解放することが可能である。第二係止ユニットは、制御部を有する。制御部によって第二係止部につめ車を解放させることが可能である。巻き取り装置は、ハンドルに装着され、第二軸、ワインダーおよびケースを有する。ロープは、一端が巻き取り装置に装着され、かつ巻き取り装置を囲み、他端が第一軸の管路を貫通する。これにより、本発明はロープを容易に巻き取り、操作の手応えを増進することが可能である。
【図面の簡単な説明】
【０００６】
【図１】本発明の第１実施形態によるリールが組み立てられた状態を示す斜視図である。
【図２】本発明の第１実施形態によるリールが分解された状態を示す分解斜視図である。
【図３】本発明の第１実施形態によるリールを示す側面図である。
【図４】本発明の第１実施形態によるリールの第一作動を示す模式図である。
【図５】本発明の第１実施形態によるリールの第二作動を示す模式図である。
【図６】本発明の第２実施形態によるリールの一部分が分解された状態を示す分解斜視図である。
【発明を実施するための形態】
【０００７】
以下、本発明によるリールを図面に基づいて説明する。
（第１実施形態）
図１から図４に示すように、本発明の第１実施形態によるリール１０は、本体１１、第一軸１６、二つのつめ車２１、第一係止ユニット２６、ハンドル３１、第二係止ユニット３６、巻き取り装置４１およびロープ４６から構成される。
図面をより明確にするために、固定されたロープ１４およびロープ４６が管路１７を貫通する状態は、図１から図３に示さず、図４および図５のみに示した。
【０００８】
本体１１は、第一端１２および第二端１３を有する。本体１１の第一端１２は固定されたロープ１４を有する。
第一軸１６は、本体１１の第二端１３に装着され、かつ中央に管路１７を有する。
二つのつめ車２１は、第一軸１６の両端に別々に装着され、第一軸１６とともに回転することが可能である。
第一係止ユニット２６は、本体１１に可動するように装着され、つめ車２１をロックまたは解放することが可能である。
【０００９】
ハンドル３１は、第一端３２および第二端３３を有し、第二端３３によって第一軸１６に旋転できるように接続される。ハンドル３１の第二端３３は、突っ張り部３４を有する。ハンドル３１が本体１１に対し所定の角度まで旋転する際、突っ張り部３４は第一係止ユニット２６を後退させ、つめ車２１を解放する。ハンドル３１は、二つの側部３５を有する。ハンドル３１の第一端３２は使用者が手で握るための握り部３１１を有する。本実施形態において、突っ張り部３４は、突輪である。
【００１０】
第二係止ユニット３６は、制御部３７、係止片３８および二つの側片３９を有する。制御部３７、二つの側片３９および係止片３８は、中空の枠体を構成する。第二係止ユニット３６は、ハンドル３１に可動するように装着され、係止片３８は握り部３１１から遠く離れて設けられ、かつつめ車２１をロックまたは解放することが可能である。制御部３７は、ハンドル３１の握り部３１１の近くに設けられるため、使用者は手で操作することが可能である。二つの側片３９は、ハンドル３１の二つの側部３５間に位置付けられる。
【００１１】
巻き取り装置４１は、ハンドル３１に装着され、第二軸４２、ワインダー４３およびケース４４を有する。第二軸４２は、両端によってハンドル３１の二つの側部３５に固定されることで二つの側部３５間に位置する。ケース４４は第二軸４２に旋転できるように接続される。ワインダー４３は、ケース４４に格納され、両端が第二軸４２およびケース４４に別々に装着される。
【００１２】
ロープ４６は、一端がケース４４に装着され、かつケース４４を囲むため、ロープ４６は第二係止ユニット３６の二つの側片３９間に位置付けられる。ロープ４６の他端は、第一軸１６の管路１７を貫通する。図面をより明確にするために、ロープ４６は互いに間隔を置くように表示されるが、実際にロープは互いに接触して重なって丸められる。
以上は第１実施形態についての説明である。続いて第１実施形態の使用状態について説明を進める。
【００１３】
図４に示すように、第１実施形態によるリール１０を使用する際、ロープ４６を引っ張り、梱包作業を進める。ロープ４６が引っ張られる際、ロープ４６は阻害されることなく管路１７を通る。ロープ４６の末端および固定されたロープ１４の末端が固定された後（ロープの末端を固定する方法は従来の技術であるため、図面の中に表示されない）、使用者は手で図１に示した握り部３１１を握り、ハンドル３１を本体１１に対し往復回転させ、かつ第一係止ユニット２６および第二係止ユニット３６の係止片３８によってつめ車２１をロックまた解放し、続いて第一軸１６を単一方向に沿って回転させ、ロープ４６を第一軸１６に巻くことが可能である。最後にロープ４６をしっかり引っ張ればよい。ロープ４６が引っ張られた状態は図５に示したとおりである。そのうちの第一係止ユニット２６、第二係止ユニット３６の係止片３８およびつめ車２１との間の作動方式は先行技術の作動方式と同じであるため、詳細な説明を省略する。
【００１４】
ロープ４６を引っ張る過程において、ケース４４はロープ４６とともに回転するため、ワインダー４３は回転弾力を蓄積することが可能である。
ロープ４６の引張状態を解放する際、ハンドル３１を所定の角度まで回転させ、突っ張り部３４の作用によって第一係止ユニット２６を後退させ、つめ車２１を解放し、かつ第二係止ユニット３６の制御部３７によって係止片３８につめ車２１を解放させる。この部分の操作は、同様に第一係止ユニット２６、第二係止ユニット３６の係止片３８およびつめ車２１との間の作動方式であって、先行技術の作動方式と同じであるため、図面には表示しない。このとき第一軸１６は自由回転状態にあり、ロープ４６は張力を介して第一軸１６を回転させることによって図４に示した状態に復元する。このときロープ４６は、第一軸１６上に丸くなることなく、第一軸１６の管路１７を貫通する。ロープ４６の末端の固定状態が解除された後、図２に示したワインダー４３は蓄積した回転弾力によってケース４４を回転させ、ロープ４６を巻き取り、使用前の状態に復元させる。
【００１５】
ロープ４６を巻き取る過程において、第二係止ユニット３６の二つ側片３９は、図１に示すように、ロープ４６に束縛機能を果たすことが可能である。ロープ４６は二つの側片３９間に位置するため、少し傾いたロープ４６を巻き取る際、二つの側片３９は矯正機能を果たし、ロープ４６の巻き取りを正確に進めることが可能である。またロープ４６および巻き取り装置４１は、ハンドル３１の近くに設けられるため、使用者はハンドル３１を操作する際、ロープ４６の使用状態をより実感できる。
【００１６】
（第２実施形態）
図６に示すように、本発明の第２実施形態によるリール５０は、ほぼ第１実施形態と同じである。第１実施形態との違いは次のとおりである。
巻き取り装置６１の第二軸６２は、両端によってハンドル５１の側部５５に回転できるように別々に接続されることで二つの側部５５間に位置する。ケース６４は、第二軸６２に対応するようにハンドル５１の一つの側部５５に固定されることでハンドル５１の外側に位置する。ワインダー６３は、ケース６４に格納され、両端が第二軸６２およびケース６４に別々に装着される。
ロープ６６は、一端が第二軸６２に装着され、かつ第二軸６２を囲む。
【００１７】
第２実施形態の作動方式は、ほぼ第１実施形態と同じである。第１実施形態との違いは、次のとおりである。ケース６４はハンドル５１の一つの側部５５に固定されるため、回転できない。第二軸６２は、ロープ６６の巻き取りに伴って回転する。ワインダー６３は、第二軸６２に回転弾力を供給する。
第２実施形態による効果は、ほぼ第１実施形態と同じである。第１実施形態と比べて、第２実施形態では、ロープ６６をケース６４に巻く方式を採用せず、直接ロープ６６を第二軸６２に巻くため、ロープ６６全体の体積が比較的小さい。
【００１８】
第２実施形態では、ワインダー６３の両端を第二軸６２およびハンドル５１の一つの側部５５に別々に接続することによって、第二軸６２を回転させた後、第二軸６２に回転弾力を供給することも可能である。この実施状態は上述した第１実施形態に基づいて変更を行ったのであるため、本発明の請求範囲に属するべきである。
【００１９】
上記実施形態が達成した効果は次のとおりである。
（１）巻き取りが簡単である。上記実施形態では、ハンドル３１および制御部３７によって第一軸１６を自由回転状態に維持すれば、巻き取り装置４１によって巻き取りの作業を進め、ロープをより容易に巻き取ることが可能である。
【００２０】
（２）構造が先行技術とは異なる。先行技術におけるロープ４６は底座に位置するのに対し、上記実施形態における巻き取り装置４１およびロープ４６はハンドル３１に位置する。上記実施形態では、ロープ４６をハンドル３１に位置させるため、ロープ４６の使用状態および使用量を使用者に実感させ、操作上の手応えを与えることが可能である。
【符号の説明】
【００２１】
１０・・・リール
１１・・・本体
１２・・・第一端
１３・・・第二端
１４・・・固定されたロープ
１６・・・第一軸
１７・・・管路
２１・・・つめ車
２６・・・第一係止ユニット
３１・・・ハンドル
３１１・・・握り部
３２・・・第一端
３３・・・第二端
３４・・・突っ張り部
３５・・・側部
３６・・・第二係止ユニット
３７・・・制御部
３８・・・係止片
３９・・・側片
４１・・・巻き取り装置
４２・・・第二軸
４３・・・ワインダー
４４・・・ケース
４６・・・ロープ
５０・・・リール
５１・・・ハンドル
５５・・・側部
６１・・・巻き取り装置
６２・・・第二軸
６３・・・ワインダー
６４・・・ケース
６６・・・ロープ
【図１】
2011207461.tif 000003
【図２】
2011207461.tif 000004
【図３】
2011207461.tif 000005
【図４】
2011207461.tif 000006
【図５】
2011207461.tif 000007
【図６】
2011207461.tif 000008